(57)【要約】      （修正有）【課題】鉄塔の昇降においても人体を隙間なく防護し、蜂針および放電による刺激を防止することができる蜂防護服を提供する。【解決手段】高所作業用蜂防護服の代表的な構成は、頭部の外周を保護する頭部カバー１２０と、頭部カバー１２０の上部に取り付けられ、ヘルメットを下方から挿入する内孔１３２を有する環状の天板１３０と、該天板１３０の下面側でヘルメット１４０の鍔を保持する固定部とを備えていることを特徴とする。【選択図】図２
0003173086.tif 000002
【実用新案登録請求の範囲】
【請求項１】
頭部の外周を保護する頭部カバーと、
前記頭部カバーの上部に取り付けられ、ヘルメットを下方から挿入する内孔を有する環状の天板と、
前記天板に取付けられ、前記天板の下面側でヘルメットの鍔を保持する固定部とを備えていることを特徴とする高所作業用蜂防護服。
【請求項２】
前記頭部カバーは、前面が金属性のメッシュ素材であり、後面が防針生地であることを特徴とする請求項１に記載の高所作業用蜂防護服。
【請求項３】
靴の靴底以外を覆うほぼ白色の靴カバーと、
前記靴カバーの靴底部分に渡された帯状部材と、
前記靴カバーの足首部分を絞る締付けベルトとを備えていることを特徴とする高所作業用蜂防護服。
【請求項４】
前記靴カバーの足首部分と、ズボンの裾の全周がファスナーによって連結して封止可能となっていることを特徴とする請求項３に記載の高所作業用蜂防護服。
【請求項５】
手袋の裾と手首の袖の全周がファスナーによって連結して封止可能となっていることを特徴とする高所作業用蜂防護服。
【請求項６】
前記手袋の手首部分を絞る締付けベルトと、
前記袖のファスナーから前記手袋の内側に伸びる内袖と、
前記内袖の先端近傍を絞る締付けベルトとを備えていることを特徴とする請求項５に記載の高所作業用蜂防護服。
【請求項７】
メッシュ状の表地と裏地を離間して配置し、これらの間を連結糸で立体的につないだ防針生地を用いて上半身と下半身を一体に形成した高所作業用蜂防護服であって、
ひじおよびひざの箇所に蜂の針が貫通しない強度の生地からなるパッチを取り付けていることを特徴とする高所作業用蜂防護服。
【請求項８】
メッシュ状の表地と裏地を離間して配置し、これらの間を連結糸で立体的につないだ防針生地を用いて上半身と下半身を一体に形成した高所作業用蜂防護服であって、
前面が金属性のメッシュ素材であり、後面が防針生地で形成され、頭部の外周を保護する頭部カバーと、
前記頭部カバーの上部に取り付けられ、ヘルメットを下方から挿入する内孔を有する環状の天板と、前記天板に取付けられ、前記天板の下面側でヘルメットの鍔を保持する固定部と、
靴の靴底以外を覆うほぼ白色の靴カバーと、
前記靴カバーの足首部分と、ズボンの裾の全周を連結して封止するファスナーと、
手袋の裾と手首の袖の全周を連結して封止するファスナーと、
ひじおよびひざの箇所に蜂の針が貫通しない強度の生地からなるパッチを取り付けていることを特徴とする高所作業用蜂防護服。
【考案の詳細な説明】
【技術分野】
【０００１】
本考案は、鉄塔などの高所に登る際に特に適した高所作業用蜂防護服に関する。
【背景技術】
【０００２】
電力設備は、平野部から山間部まで広く設置されている。特に送電鉄塔は山間部を経過する設備が多数ある。そのような山間部の鉄塔には蜂が巣を作る場合があり、電力会社が蜂の巣の撤去を行う場合がある。
【０００３】
蜂に刺された場合には、あらかじめ準備した解毒剤などを用いて応急処置を図ったうえ、病院で手当などを行うよう対処している。しかし、毒性の強いスズメバチなどに何度も刺されたり、一度に何匹もの蜂に刺されたりすると人命に関わる場合がある。また、蜂刺されの予防方法については、蜂が興奮しやすい濃い色彩の着用を避けたり、蜂は角速度の速い物を攻撃するため急速な動きは避けること等、一般的な対応は作業員への教育を行っている。しかし、地蜂などの地面に巣作りをする蜂等は突然に襲ってくる場合もあり、実際に被災を皆無とすることは困難な状況にある。
【０００４】
蜂防護服として、たとえば特許文献１のような防護服が開発されている。特許文献１には、蜂防護服用の生地として、メッシュ状の表地と裏地を離間して配置し、これらの間を連結糸でつなぐことにより、蜂の針が貫通しない厚さの立体織物シートを用いることが開示されている。特許文献１では、この立体織物シートを用いてブルゾンとズボンを形成することにより、軽量で通気性や放熱性に優れ、蜂にさされることを防止した蜂防護服を提供できるとしている。
【０００５】
また鉄塔などにおける高所作業では、要求される仕様を満たす装備を装着する必要がある。そのため蜂防護服を着る場合であっても、任意の（仕様を満たす）安全ベルトやヘルメットを使用できることが重要である。
【０００６】
非特許文献１には、ヘルメットに取り付ける方式の頭部プロテクターが記載されている（蜂防護服ラプターII：株式会社ディックコーポレーション）。この構造では、頭部プロテクターに袖状のカバーが取り付けられていて、「(1)ヘルメットを頭部プロテクターの上から入れ、プロテクターのリング部分に乗せるようにセットする(2)ヘルメットのふちをカバーで覆い、固定する」という段取りが説明されている。すなわち、頭部プロテクターに取り付けられたカバーでヘルメットの縁を締め付け固定することにより、別体であるヘルメットに頭部プロテクターを固定している。
【先行技術文献】
【特許文献】
【０００７】
【特許文献１】実用新案登録第３１３３４２８号
【非特許文献】
【０００８】
【非特許文献１】蜂防護服ラプターIIの装着方法（http://bee.fusegu.com/soutyaku.html）
【考案の概要】
【考案が解決しようとする課題】
【０００９】
しかしながら、鉄塔などにおける高所作業では、昇降する際に大きく手足を曲げたり伸ばしたりする。このため、既存の様々な蜂防護服では、上着とズボンの間や、頭部カバーと上着の間、上着の袖やズボンの裾のいずれかに隙間が生じてしまう。蜂は狭いところにもぐりこむ性質を有しているから、隙間があると入り込んできてしまう問題がある。そこで、どのように動いても隙間が生じない構造が必要である。
【００１０】
加えて、一般の作業服では送電線を起因とした誘導電圧によって作業服に帯電が生じる。帯電した電荷が手首や頬等と鉄塔材の間で放電したときには強い刺激が生じるため、作業者はたとえば、思わず鉄塔部材から手を離してしまうなどの反射的な回避反応をする。この点からも、昇降動作において隙間が生じないことが重要である。
【００１１】
また上記したように、鉄塔などにおける高所作業では、要求される仕様を満たす装備を装着する必要がある。その１つとして安全靴は重要である。既存の蜂防護服には靴が含まれる場合があるが、通常の長靴程度では鉄塔に昇るには足の裏が痛くて不都合である。しかしながら、高所作業用の安全靴は蜂が好む黒色であるため、足元の隙間が特に問題となる。
【００１２】
また鉄塔等における高所作業では、頭を極端に上下に向ける動作を行う。すると、透明板のプラスチックのシールドでは頭の可動範囲が狭くなるため不都合である。一方、シールドをメッシュにすると、頭を上下に向けた場合にメッシュにしわが寄って肌に近づき、顔または首に蜂の針が届いてしまうという問題がある。
【００１３】
特許文献１に記載の立体織物シート（以下、「防針生地」という。）は、確かに通気性に優れ、また伸縮性に富むため、昇降動作によく、また安全ベルトを取り付けるにも都合がよい。しかしながら、表地と裏地の間隔によって蜂の針を防いでいるものであるから、手足を曲げることによって生地が伸びると表地と裏地の間隔が狭くなり（生地が薄くなり）、大きく体を曲げた状態では生地の伸びた箇所で蜂の針を防げないおそれがある。
【００１４】
非特許文献１に記載の蜂防護服では、任意のヘルメットを用いることができるため、仕様を満たすヘルメットを用いることができる。しかしながらヘルメットの縁にぶら下げる構成であるため、頭を大きく上下に向けた際に外れてしまうおそれがある。鉄塔等における高所作業では、３本の手足は自分の体を支えるために身動きがとれず、残った１本の片手には蜂の巣除去用の道具を持っているため、とっさの動作をすることができない。このため、ヘルメットと頭部カバーがさらに強固に接合されることが必要である。
【００１５】
そこで本考案は、鉄塔の昇降においても人体を隙間なく防護し、蜂針および放電による刺激を防止することができる蜂防護服を提供することを目的としている。
【課題を解決するための手段】
【００１６】
上記課題を解決するために、本考案にかかる高所作業用蜂防護服の代表的な構成は、頭部の外周を保護する頭部カバーと、頭部カバーの上部に取り付けられ、ヘルメットを下方から挿入する内孔を有する環状の天板と、天板に取付けられ、天板の下面側でヘルメットの鍔を保持する固定部とを備えていることを特徴とする。
【００１７】
上記構成によれば、所望のヘルメットを蜂防護服の一部として用いることができる。さらに、天板の下方からヘルメットを挿入していることにより、作業者が装着している状態で頭部カバーがヘルメットから脱落してしまうおそれがない。したがって不安なく頭を上下に向けることができる。また環状の天板により、ヘルメットの鍔よりも頭部カバーの側面を頭部から離間させることができるため、十分なクリアランス（隙間）を確保することができる。したがって頭部カバーが大きくたるんでも顔や首に蜂の針が届くことがなく、また顔部分が放電による刺激を受けることを防止することができる。
【００１８】
上記頭部カバーは、前面が金属性のメッシュ素材であり、後面が防針生地であることが好ましい。これにより、上を向いて頭部カバーの後面が大きくたるんでも、首を蜂に刺されるおそれがない。
【００１９】
本考案にかかる高所作業用蜂防護服の他の代表的な構成は、靴の靴底以外を覆うほぼ白色の靴カバーと、靴カバーの靴底部分に渡された帯状部材と、靴カバーの足首部分を絞る締付けベルトとを備えていることを特徴とする。
【００２０】
上記構成により、その作業者が使い慣れた高所作業用の安全靴をそのまま使いつつ、蜂が好む黒色を隠し、蜂が靴にたかることを防ぐことができる。また、足首の締付けベルトにより、靴カバーを作業靴に確実に固定することができる。
【００２１】
上記靴カバーの足首部分と、ズボンの裾の全周がファスナーによって連結して封止可能となっていることが好ましい。これにより、足を大きく曲げた姿勢においてもズボンの裾に隙間が形成されることがなく、蜂がもぐりこむことを確実に防止することができる。また、足首部分の肌が露出して放電による刺激を受けることを防止することができる。
【００２２】
本考案にかかる高所作業用蜂防護服の他の代表的な構成は、手袋の裾と手首の袖の全周がファスナーによって連結して封止可能となっていることを特徴とする。
【００２３】
上記構成により、腕を大きく伸ばした姿勢においても袖に隙間が形成されることがなく、蜂がもぐりこむことを確実に防止することができる。また、手首部分の肌が露出して放電による刺激を受けることを防止することができる。
【００２４】
上記の手袋の手首部分を絞る締付けベルトと、袖のファスナーから手袋の内側に伸びる内袖と、内袖の先端近傍を絞る締付けベルトとを備えていることが好ましい。手袋の手首の締付けベルトにより腕を曲げた際にも指部分がだぶつくことがなく、内袖の締付けベルトにより腕を伸ばした際にも指部分が引きつることがない。したがって、手袋と袖とをファスナーによって連結しても、手袋の指部分の自由度を確保することができる。
【００２５】
本考案にかかる高所作業用蜂防護服の他の代表的な構成は、メッシュ状の表地と裏地を離間して配置し、これらの間を連結糸で立体的につないだ防針生地を用いて上半身と下半身を一体に形成した高所作業用蜂防護服であって、ひじおよびひざの箇所に蜂の針が貫通しない強度の生地からなるパッチを取り付けていることを特徴とする。
【００２６】
上記構成によれば、鉄塔の昇降において手足を大きく曲げた際にひじやひざの生地が薄くなっても、蜂に刺されてしまうことを防止することができる。
【００２７】
本考案にかかる高所作業用蜂防護服の他の代表的な構成は、メッシュ状の表地と裏地を離間して配置し、これらの間を連結糸で立体的につないだ防針生地を用いて上半身と下半身を一体に形成した高所作業用蜂防護服であって、前面が金属性のメッシュ素材であり、後面が防針生地で形成され、頭部の外周を保護する頭部カバーと、頭部カバーの上部に取り付けられ、ヘルメットを下方から挿入する内孔を有する環状の天板と、天板に取付けられ、天板の下面側でヘルメットの鍔を保持する固定部と、靴の靴底以外を覆うほぼ白色の靴カバーと、靴カバーの足首部分と、ズボンの裾の全周を連結して封止するファスナーと、手袋の裾と手首の袖の全周を連結して封止するファスナーと、ひじおよびひざの箇所に蜂の針が貫通しない強度の生地からなるパッチを取り付けていることを特徴とする。
【考案の効果】
【００２８】
本考案によれば、鉄塔の昇降においても人体を隙間なく防護し、蜂針および放電による刺激を防止することができる蜂防護服を提供することができる。
【図面の簡単な説明】
【００２９】
【図１】実施形態に係る高所作業用蜂防護服の全体構成を示す図である。
【図２】頭部カバーの構成を説明する図である。
【図３】天板にヘルメットを固定する構成を説明する断面図である。
【図４】袖と手袋を説明する図である。
【図５】裾と靴カバーを説明する図である。
【考案を実施するための形態】
【００３０】
以下に添付図面を参照しながら、本考案の好適な実施形態について詳細に説明する。かかる実施形態に示す寸法、材料、その他具体的な数値などは、考案の理解を容易とするための例示に過ぎず、特に断る場合を除き、本考案を限定するものではない。なお、本明細書及び図面において、実質的に同一の機能、構成を有する要素については、同一の符号を付することにより重複説明を省略し、また本考案に直接関係のない要素は図示を省略する。
【００３１】
図１は本実施形態に係る高所作業用蜂防護服（以下、単に「蜂防護服１００」という。）の全体構成を示す図である。蜂防護服１００は、特に断らない限り、蜂を刺激しにくい白色で形成する。蜂防護服１００の本体１１０は、上半身と下半身を一体に形成した、いわゆる「ツナギ」服である。これにより、蜂防護服をブルゾンとズボンで構成した場合と異なり、体を大きく動かした姿勢においても腰の部分に隙間が生じることがない。
【００３２】
本体１１０は、メッシュ状の表地と裏地を離間して配置し、これらの間を連結糸で立体的につないだ防針生地を用いて形成している。このような構成の防針生地は通気性に優れ、夏季でも内部に熱がこもることを防止することができる。また伸縮性に富むため、昇降動作によく追従することができ、安全ベルトを取り付けるにも都合がよい。
【００３３】
ただし、手足を曲げることによって生地が伸びると表地と裏地の間隔が狭くなり（生地が薄くなり）、大きく体を曲げた状態では伸びた箇所で蜂の針を防げないおそれがある。そこで本実施形態においては、ひじおよびひざの箇所に蜂の針が貫通しない強度の生地からなるパッチ１１２ａ、１１２ｂを取り付けている。これにより、鉄塔の昇降において手足を大きく曲げた際にひじやひざの生地が薄くなっても、蜂に刺されてしまうことを防止することができる。パッチ１１２ａ、１１２ｂとしては、消防服の素材を好適に利用することができる。
【００３４】
頭部カバー１２０は、人体の頭部の外周を保護する部分であって、別体のヘルメット１４０と組み合わせて使用する。
【００３５】
図２は頭部カバーの構成を説明する図であって、図２（ａ）は正面図、図２（ｂ）は斜視図である。頭部カバー１２０は、金属製のメッシュ素材からなる前面１２２と、後面に防針生地からなる後面１２４、および天板１３０を備え、頭部の外周を保護する。
【００３６】
前面１２２が金属製のメッシュで形成されていることにより、可撓性を有し、作業者は容易に上下を向くことができる。また金属製であることから、良好な通気性を維持しつつも、蜂の顎によって食い破られることを防止することができる。なお前面１２２は視認性を高めるために、内面を灰色から黒色とすることが望ましい。
【００３７】
また鉄塔の昇降においては、作業者が真上や真下のように、極端に上下を向くことがある。作業者が上を向くと頭部カバーの後面が大きくたるみ、首にあたる場合がある。しかしながら、後面１２４が防針生地によって形成されていることにより、作業者が上を向いて頭部カバーの後面が大きくたるんでも、首を蜂に刺されるおそれがない。
【００３８】
頭部カバー１２０の裾１２６にはファスナー１２８ａが備えられていて、本体１１０の首周りには、対となるファスナー１２８ｂが備えられている。本体１１０の中央には上半身を閉じるためのファスナー１１４が備えられているから、ファスナー１２８ａ、１２８ｂは本体１１０の中央から始まり、肩部から背中を回って反対側の肩部を通って、開始位置の近くで終わるように配置されている。これにより、作業者がどのように頭を動かしても、頭部カバー１２０と上着の間に隙間が生じることを防止している。
【００３９】
天板１３０は頭部カバー１２０の上部に取り付けられた環状の板であって、内孔１３２に別体のヘルメット１４０を下方から挿入して固定する。図３は天板１３０にヘルメット１４０を固定する構成を説明する断面図であって、図３（ａ）は固定前の図、図３（ｂ）は固定後の図である。
【００４０】
図３（ａ）に示すように、天板１３０の内孔１３２の下面側に連続するように、布製の筒状の固定部１３４が取り付けられている。固定部１３４の下縁には紐１３６が通してあり、紐１３６を引くことによって固定部１３４の下端を絞ることができる。紐１３６の両端を通すようにコードストッパー１３８が取り付けられていて、紐１３６を絞った状態で簡単に固定できるようになっている。
【００４１】
ここで、内孔１３２の形状はヘルメットの縁１４２近傍の側面の形状とおおむね一致するように形成されている。すなわち、内孔１３２はヘルメットの縁１４２が通過できない大きさである。一方、筒状の固定部１３４は、ヘルメットの縁１４２が挿入できる大きさ（太さ）となっている。
【００４２】
天板１３０にヘルメット１４０を固定する際には、図３（ａ）に示すように、まず内孔１３２に下方からヘルメット１４０を挿入し、しっかりと圧入する。そして図３（ｂ）に示すように紐１３６を引くと、固定部１３４の下端が絞られて、固定部１３４がヘルメットの縁１４２を包み込むように固定する。この状態でコードストッパー１３８によって紐１３６を留めれば、固定が完了する。
【００４３】
上記構成によれば、所望のヘルメット１４０を蜂防護服１００の一部として用いることができる。さらに、天板１３０の下方からヘルメット１４０を挿入していることにより、作業者が装着している状態で頭部カバー１２０がヘルメット１４０から脱落してしまうおそれがない。したがって作業者は、不安なく頭を上下に向けることができる。
【００４４】
また環状の天板１３０により、ヘルメット１４０の鍔よりも頭部カバー１２０の側面（前面１２２、後面１２４）を頭部から離間させることができるため、十分なクリアランス（隙間）を確保することができる。したがって頭部カバーが大きくたるんでも顔や首に蜂の針が届くことがなく、また顔部分が放電による刺激を受けることを防止することができる。
【００４５】
図４は袖１５０と手袋１６０を説明する図である。手袋１６０は蜂針の通らない素材で構成されており、例えば豚皮を好適に用いることができる。手袋１６０の裾にはファスナー１６４ａが備えられていて、本体１１０の袖１５０には、対となるファスナー１６４ｂが備えられている。ファスナー１６４ａ、１６４ｂを閉じることにより、手袋１６０の裾と袖１５０の全周がファスナー１６４ａ、１６４ｂによって連結して封止可能となっている。
【００４６】
上記構成により、腕を大きく伸ばした姿勢においても袖１５０と手袋１６０の間に隙間が形成されることがない。仮に袖１５０を絞るだけであると、袖１５０が厚手の防針生地であることから、絞った際のしわによって蜂がもぐりこむ隙間が生じてしまう。しかし本実施形態の構成であれば隙間が生じないため、蜂がもぐりこむことを確実に防止することができる。また、手首部分の肌が露出して放電による刺激を受けることを防止することができる。
【００４７】
また手袋１６０には、手首部分を絞る締付けベルト１６２が備えられている。一方、本体１１０の袖１５０には、ファスナー１６４ｂより先に内袖１５２が手袋１６０の内側に伸びていて、内袖１５２の先端近傍を絞る締付けベルト１５４が備えられている。手袋１６０の手首の締付けベルト１６２により、腕を曲げた際にも指部分がだぶつくことがない。また、内袖１５２の締付けベルト１５４により、腕を伸ばした際にも手袋１６０の指部分が引きつることがない。したがって、手袋１６０と袖１５０とをファスナー１６４ａ、１６４ｂによって連結しても、手袋１６０の指部分の自由度を確保することができる。
【００４８】
図５は裾１７０と靴カバー１８０を説明する図であって、図５（ａ）は構成を説明する図、図５（ｂ）は靴底面を説明する図である。靴カバー１８０は靴１９０の靴底１９２以外を覆うほぼ白色のカバーである。図５（ｂ）に示すように、靴カバー１８０は靴底部分は覆っておらず、帯状部材１８２によって左右を連結している。靴カバー１８０の素材としては、ほぼ白色のものであって、適度に丈夫であればよい。帯状部材１８２は弾性を有するゴムベルトを好適に用いることができる。また靴カバー１８０には、足首部分を絞る締付けベルト１８４が備えられている。
【００４９】
上記構成により、その作業者が使い慣れた高所作業用の作業靴（安全靴）をそのまま使いつつ、蜂が好む黒色を隠し、蜂が靴１９０にたかることを防ぐことができる。また、足首の締付けベルト１８４により、靴カバー１８０を作業靴１９０に確実に固定することができる。また締付けベルト１８４により、蜂が靴１９０と靴カバー１８０の間から登ってくることを防止することができる。
【００５０】
さらに、靴カバー１８０の足首部分にはファスナー１８６ａが備えられていて、本体１１０のズボンの裾には、対となるファスナー１８６ｂが備えられている。ファスナー１８６ａ、１８６ｂを閉じることにより、靴カバー１８０と裾１７０の全周がファスナー１８６ａ、１８６ｂによって連結して封止可能となっている。これにより、足を大きく曲げた姿勢においてもズボンの裾１７０に隙間が形成されることがなく、蜂がもぐりこむことを確実に防止することができる。また、足首部分の肌が露出して放電による刺激を受けることを防止することができる。
【００５１】
以上、添付図面を参照しながら本考案の好適な実施例について説明したが、本考案は係る例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【産業上の利用可能性】
【００５２】
本考案は、鉄塔などの高所に登る際に特に適した高所作業用蜂防護服として利用することができる。
【符号の説明】
【００５３】
１００…蜂防護服、１１０…本体、１１２…パッチ、１１２ａ…パッチ、１１２ｂ…パッチ、１１４…ファスナー、１１６…ファスナー、１２０…頭部カバー、１２２…前面、１２４…後面、１２６…裾、１２８…ファスナー、１２８ａ…ファスナー、１２８ｂ…ファスナー、１３０…天板、１３２…内孔、１３４…固定部、１３６…紐、１３８…コードストッパー、１４０…ヘルメット、１４２…ヘルメットの縁、１５０…袖、１５２…内袖、１５４…締付けベルト、１６０…手袋、１６２…締付けベルト、１６４ａ…ファスナー、１６４ｂ…ファスナー、１７０…裾、１８０…靴カバー、１８２…帯状部材、１８４…締付けベルト、１８６ａ…ファスナー、１８６ｂ…ファスナー、１９０…靴、１９２…靴底
【図１】
0003173086.tif 000003
【図２】
0003173086.tif 000004
【図３】
0003173086.tif 000005
【図４】
0003173086.tif 000006
【図５】
0003173086.tif 000007
【手続補正書】
【提出日】平成23年9月27日(2011.9.27)
【手続補正１】
【補正対象書類名】実用新案登録請求の範囲
【補正対象項目名】請求項２
【補正方法】変更
【補正の内容】
【請求項２】
前記頭部カバーは、前面が合成樹脂性のメッシュ素材であり、後面が防針生地であることを特徴とする請求項１に記載の高所作業用蜂防護服。
【手続補正２】
【補正対象書類名】実用新案登録請求の範囲
【補正対象項目名】請求項８
【補正方法】変更
【補正の内容】
【請求項８】
メッシュ状の表地と裏地を離間して配置し、これらの間を連結糸で立体的につないだ防針生地を用いて上半身と下半身を一体に形成した高所作業用蜂防護服であって、
前面が合成樹脂性のメッシュ素材であり、後面が防針生地で形成され、頭部の外周を保護する頭部カバーと、
前記頭部カバーの上部に取り付けられ、ヘルメットを下方から挿入する内孔を有する環状の天板と、前記天板に取付けられ、前記天板の下面側でヘルメットの鍔を保持する固定部と、
靴の靴底以外を覆うほぼ白色の靴カバーと、
前記靴カバーの足首部分と、ズボンの裾の全周を連結して封止するファスナーと、
手袋の裾と手首の袖の全周を連結して封止するファスナーと、
ひじおよびひざの箇所に蜂の針が貫通しない強度の生地からなるパッチを取り付けていることを特徴とする高所作業用蜂防護服。
【手続補正３】
【補正対象書類名】明細書
【補正対象項目名】００１８
【補正方法】変更
【補正の内容】
【００１８】
上記頭部カバーは、前面が合成樹脂性のメッシュ素材であり、後面が防針生地であることが好ましい。これにより、上を向いて頭部カバーの後面が大きくたるんでも、首を蜂に刺されるおそれがない。
【手続補正４】
【補正対象書類名】明細書
【補正対象項目名】００２７
【補正方法】変更
【補正の内容】
【００２７】
本考案にかかる高所作業用蜂防護服の他の代表的な構成は、メッシュ状の表地と裏地を離間して配置し、これらの間を連結糸で立体的につないだ防針生地を用いて上半身と下半身を一体に形成した高所作業用蜂防護服であって、前面が合成樹脂性のメッシュ素材であり、後面が防針生地で形成され、頭部の外周を保護する頭部カバーと、頭部カバーの上部に取り付けられ、ヘルメットを下方から挿入する内孔を有する環状の天板と、天板に取付けられ、天板の下面側でヘルメットの鍔を保持する固定部と、靴の靴底以外を覆うほぼ白色の靴カバーと、靴カバーの足首部分と、ズボンの裾の全周を連結して封止するファスナーと、手袋の裾と手首の袖の全周を連結して封止するファスナーと、ひじおよびひざの箇所に蜂の針が貫通しない強度の生地からなるパッチを取り付けていることを特徴とする。
【手続補正５】
【補正対象書類名】明細書
【補正対象項目名】００３５
【補正方法】変更
【補正の内容】
【００３５】
図２は頭部カバーの構成を説明する図であって、図２（ａ）は正面図、図２（ｂ）は斜視図である。頭部カバー１２０は、合成樹脂製のメッシュ素材からなる前面１２２と、後面に防針生地からなる後面１２４、および天板１３０を備え、頭部の外周を保護する。
【手続補正６】
【補正対象書類名】明細書
【補正対象項目名】００３６
【補正方法】変更
【補正の内容】
【００３６】
前面１２２が合成樹脂製のメッシュで形成されていることにより、可撓性を有し、作業者は容易に上下を向くことができる。なお前面１２２は視認性を高めるために、内面が黒色、外面が灰色とすることが望ましい。
【手続補正書】
【提出日】平成23年11月15日(2011.11.15)
【手続補正１】
【補正対象書類名】実用新案登録請求の範囲
【補正対象項目名】請求項３
【補正方法】変更
【補正の内容】
【請求項３】
靴の靴底以外を覆うほぼ白色の靴カバーと、
前記靴カバーの靴底部分に渡された帯状部材と、
前記靴カバーの足首部分を絞る締付けベルトとを備えていることを特徴とする請求項１に記載の高所作業用蜂防護服。
【手続補正２】
【補正対象書類名】実用新案登録請求の範囲
【補正対象項目名】請求項５
【補正方法】変更
【補正の内容】
【請求項５】
手袋の裾と手首の袖の全周がファスナーによって連結して封止可能となっていることを特徴とする請求項１に記載の高所作業用蜂防護服。
【手続補正３】
【補正対象書類名】実用新案登録請求の範囲
【補正対象項目名】請求項７
【補正方法】変更
【補正の内容】
【請求項７】
メッシュ状の表地と裏地を離間して配置し、これらの間を連結糸で立体的につないだ防針生地を用いて上半身と下半身を一体に形成した高所作業用蜂防護服であって、
ひじおよびひざの箇所に蜂の針が貫通しない強度の生地からなるパッチを取り付けていることを特徴とする請求項１に記載の高所作業用蜂防護服。